(57)【要約】【課題】画面の焼き付き防止のための画像移動が気になることを軽減し、また補間位置の位相変化により画像に大きなボケが発生することを防止する。【解決手段】画像数変換部１０６は、コントローラ１０１より供給される補間位置の情報に基づいて、水平方向及び垂直方向における補間位置の画素データを、画像信号Ｖａの画素データを用いて生成し、画素数変換された画像信号Ｖｂを得る。ドライバ１０８は、画面の焼き付きを防止するために、コントローラ１０１からの表示位置情報に基づき、ＰＤＰ１０９における画像の表示位置を、水平方向及び垂直方向に、所定の画素範囲で、所定時間毎に、１画素ずつ移動する。コントローラ１０１は、検出部１１０で検出される各周波数の成分のうち高域成分の割合が大きいとき、画像の表示位置が１画素分ずれる間に、補間位置の位相を、補間位置間を３６０゜として、３６０゜より小さな変化単位で、変化させる。【選択図】        図１
2005043720.tif 000002
【特許請求の範囲】
【請求項１】
入力画像信号に基づいて、少なくとも水平または垂直の補間方向における補間位置の画素データを生成し、出力画像信号を得る画像信号処理手段と、
上記入力画像信号より上記補間方向に係る各周波数の成分を検出する周波数成分検出手段と、
上記周波数成分検出手段で検出された各周波数の成分のうち高域周波数成分の割合が所定値以下のとき、上記画像信号処理手段における各補間位置の位相を一律に、補間位置間を３６０゜として、第１の時間毎に、３６０゜より小さな変化単位で変化させる補間位相制御手段と
を備えることを特徴とする画像信号処理装置。
【請求項２】
上記補間位相制御手段は、上記周波数成分検出手段で検出された各周波数の成分の総和に対する所定周波数以上の成分の総和の割合が所定値以下のとき、上記画像信号処理手段における各補間位置の位相を一律に、補間位置間を３６０゜として、第１の時間毎に、３６０゜より小さな変化単位で変化させる
ことを特徴とする請求項１に記載の画像信号処理装置。
【請求項３】
上記出力画像信号による画像を表示素子に表示する際に、該画像の表示位置を、第２の時間毎に、上記補間方向に、１画素ずつずらすとき、上記第１の時間は上記第２の時間の１／Ｎ（Ｎは２以上の整数）とされ、上記変化単位は３６０゜の１／Ｎとされる
ことを特徴とする請求項１に記載の画像信号処理装置。
【請求項４】
上記補間位相制御手段は、複数垂直期間毎に、上記周波数成分検出手段で検出された各周波数の成分に基づいて、高域周波数成分の割合が所定値以下か否かを判定する
ことを特徴とする請求項１に記載の画像信号処理装置。
【請求項５】
上記周波数成分検出手段は、１垂直期間または複数垂直期間である検出期間毎に、画面の一部に対応する画素データを用いて上記周波数成分を検出し、上記画面の一部を上記検出期間毎にずらしていく
ことを特徴とする請求項４に記載の画像信号処理装置。
【請求項６】
上記所定値を調整する調整手段をさらに備える
ことを特徴とする請求項１に記載の画像信号処理装置。
【請求項７】
入力画像信号に基づいて、少なくとも水平または垂直の補間方向における補間位置の画素データを生成し、出力画像信号を得る画像信号処理ステップと、
上記入力画像信号より上記補間方向に係る各周波数の成分を検出する周波数成分検出ステップと、
上記周波数成分検出ステップで検出された各周波数の成分のうち高域周波数成分の割合が所定値以下のとき、上記画像信号処理ステップにおける各補間位置の位相を一律に、補間位置間を３６０゜として、第１の時間毎に、３６０゜より小さな変化単位で変化させる補間位相制御ステップと
を備えることを特徴とする画像信号処理方法。
【請求項８】
入力画像信号に基づいて、少なくとも水平または垂直の補間方向における補間位置の画素データを生成し、出力画像信号を得る画像信号処理手段と、
上記画像信号処理手段で得られた出力画像信号による画像を表示する表示素子と、
上記表示素子に表示される画像の表示位置を、第２の時間毎に、上記補間方向に、１画素ずつずらす表示位置制御手段と、
上記入力画像信号より上記補間方向に係る各周波数の成分を検出する周波数成分検出手段と、
上記周波数成分検出手段で検出された各周波数の成分のうち高域周波数成分の割合が所定値以下のとき、上記画像信号処理手段における各補間位置の位相を一律に、補間位置間を３６０゜として、第１の時間毎に、３６０゜より小さな変化単位で変化させる補間位相制御手段と
を備えることを特徴とする画像表示装置。
【請求項９】
入力画像信号に基づいて、少なくとも水平または垂直の補間方向における補間位置の画素データを生成し、出力画像信号を得る画像信号処理手段と、
上記入力画像信号より上記補間方向に係るエッジを検出するエッジ検出手段と、
上記エッジ検出手段で検出されたエッジの所定時間当たりの個数が所定個数以下のとき、上記画像信号処理手段における各補間位置の位相を一律に、補間位置間を３６０゜として、第１の時間毎に、３６０゜より小さな変化単位で変化させる補間位相制御手段と
を備えることを特徴とする画像信号処理装置。
【請求項１０】
上記出力画像信号による画像を表示素子に表示する際に、該画像の表示位置を、第２の時間毎に、上記補間方向に、１画素ずつずらすとき、上記第１の時間は上記第２の時間の１／Ｎ（Ｎは２以上の整数）とされ、上記変化単位は３６０゜の１／Ｎとされる
ことを特徴とする請求項９に記載の画像信号処理装置。
【請求項１１】
上記補間位相制御手段は、複数垂直期間毎に、上記エッジ検出手段で検出されたエッジの個数が所定個数以下であるか否かを判定する
ことを特徴とする請求項９に記載の画像信号処理装置。
【請求項１２】
上記エッジ検出手段は、上記補間方向に隣接する一対の画素データ毎に、差分絶対値を取得し、該差分絶対値が所定レベル以上であるときはエッジであると判定してエッジ検出信号を出力する
ことを特徴とする請求項９に記載の画像信号処理装置。
【請求項１３】
上記所定個数を調整する調整手段をさらに備える
ことを特徴とする請求項９に記載の画像信号処理装置。
【請求項１４】
入力画像信号に基づいて、少なくとも水平または垂直の補間方向における補間位置の画素データを生成し、出力画像信号を得る画像信号処理ステップと、
上記入力画像信号より上記補間方向に係るエッジを検出するエッジ検出ステップと、
上記エッジ検出ステップで検出されたエッジの所定時間当たりの個数が所定個数以下のとき、上記画像信号処理ステップにおける各補間位置の位相を一律に、補間位置間を３６０゜として、第１の時間毎に、３６０゜より小さな変化単位で変化させる補間位相制御ステップと
を備えることを特徴とする画像信号処理方法。
【請求項１５】
入力画像信号に基づいて、少なくとも水平または垂直の補間方向における補間位置の画素データを生成し、出力画像信号を得る画像信号処理手段と、
上記画像信号処理手段で得られる出力画像信号による画像を表示する表示素子と、
上記表示素子に表示される画像の表示位置を、第２の時間毎に、上記補間方向に、１画素ずつずらす表示位置制御手段と、
上記入力画像信号より上記補間方向に係るエッジを検出するエッジ検出手段と、
上記エッジ検出手段で検出されたエッジの所定時間当たりの個数が所定個数以下のとき、上記画像信号処理手段における各補間位置の位相を一律に、補間位置間を３６０゜として、第１の時間毎に、３６０゜より小さな変化単位で変化させる補間位相制御手段と
を備えることを特徴とする画像表示装置。
【発明の詳細な説明】
【技術分野】
【０００１】
この発明は、例えばＰＤＰ(Plasma Display Panel)等の表示素子の焼き付きを防止するための画像信号の処理装置および処理方法、並びにそれを利用した画像表示装置に関する。
【０００２】
詳しくは、この発明は、入力画像信号に基づいて、少なくとも水平または垂直の補間方向における補間位置の画素データを生成し、出力画像信号を得るものにあって、入力画像信号より検出された補間方向に係る各周波数の成分のうち高域周波数成分の割合が所定値以下のとき、あるいは入力画像信号より検出されたエッジの所定時間当たりの個数が所定個数以下のとき、各補間位置の位相を一律に、補間位置間を３６０゜として、所定時間毎に、３６０゜より小さな変化単位で変化させることによって、画面の焼き付きを防止するための画像の移動が視覚的に気になることを軽減し、また補間位置の位相を変化させることによって画像に大きなボケが発生するおそれがある場合にはそれを防止するようにした画像信号処理装置等に係るものである。
【背景技術】
【０００３】
従来、フラットディスプレイパネルとして例えばＰＤＰ(Plasma Display Panel)が知られている。このＰＤＰは、ネオンを主体とする希ガスを封入した２枚のガラス基板の間に一対の放電電極を規則的に配列させ、両電極の交点に形成した微小な放電セルに電圧を印加して発生させた放電発光現象を利用し、放電で生じた紫外線で３原色信号Ｒ（赤）、Ｇ（緑）、Ｂ（青）の各蛍光体を発光させてカラー画像を得る表示パネルである。
【０００４】
このＰＤＰは、構造と駆動方法の違いからＤＣ型とＡＣ型とに分類される。ＤＣ型は、電極が放電空間に露出し、電圧を加えた期間だけ発光する。そして、放電によって生じた励起状態の粒子が次の放電を容易にする現象を利用したパルスメモリ方式と呼ばれる駆動法によりメモリ機能が付加されている。ＡＣ型は、電極が誘電体（ガラス層）に覆われ、この誘電体がキャパシタとして働くため、発光が瞬時に止まる。このパルス発光を繰り返すために、極性を反転させた交流電圧を電極に印加している。また、放電によって誘電体表面に蓄積される電荷の有無がセル内の実行的な電圧に影響するが、この現象によりメモリ機能が得られる。
【０００５】
このＰＤＰを用いた画像表示装置は、高輝度、高視野角、大容量比という利点を有することから、パーソナルコンピュータ等の表示素子として広く使用されている。
【０００６】
ところで、このＰＤＰに、長時間に亘って静止画を表示させると、いわゆる画面の焼き付きが生じることがあり、表示画像の劣化を招く。
【０００７】
そこで、画像が静止画であってその表示状態が一定時間続く場合には、画像の表示位置を移動させることによって、画面の焼き付きを防止することが行われている（特許文献１参照）。
【０００８】
【特許文献１】特開２０００−３３８９４７号公報
【発明の開示】
【発明が解決しようとする課題】
【０００９】
画面の焼き付きを防止するために、上述したように画像の表示位置を移動させるものにあっては、その移動は画素単位で行われている。そのため、画像の移動が視覚的に気になるという問題点があった。
【００１０】
この発明は、画面の焼き付きを防止するための画像の移動が視覚的に気になることを軽減し、また補間位置の位相を変化させることによって画像に大きなボケが発生するおそれがある場合にはそれを防止することを目的とする。
【課題を解決するための手段】
【００１１】
この発明に係る画像信号処理装置は、入力画像信号に基づいて、少なくとも水平または垂直の補間方向における補間位置の画素データを生成し、出力画像信号を得る画像信号処理手段と、入力画像信号より補間方向に係る各周波数の成分を検出する周波数成分検出手段と、この周波数成分検出手段で検出された各周波数の成分のうち高域周波数成分の割合が所定値以下のとき、画像信号処理手段における各補間位置の位相を一律に、補間位置間を３６０゜として、第１の時間毎に、３６０゜より小さな変化単位で変化させる補間位相制御手段とを備えるものである。
【００１２】
また、この発明に係る画像信号処理方法は、入力画像信号に基づいて、少なくとも水平または垂直の補間方向における補間位置の画素データを生成し、出力画像信号を得る画像信号処理ステップと、入力画像信号より補間方向に係る各周波数の成分を検出する周波数成分検出ステップと、この周波数成分検出ステップで検出された各周波数の成分のうち高域周波数成分の割合が所定値以下のとき、画像信号処理ステップにおける各補間位置の位相を一律に、補間位置間を３６０゜として、第１の時間毎に、３６０゜より小さな変化単位で変化させる補間位相制御ステップとを備えるものである。
【００１３】
また、この発明に係る画像表示装置は、入力画像信号に基づいて、少なくとも水平または垂直の補間方向における補間位置の画素データを生成し、出力画像信号を得る画像信号処理手段と、この画像信号処理手段で得られた出力画像信号による画像を表示する表示素子と、この表示素子に表示される画像の表示位置を、第２の時間毎に、補間方向に、１画素ずつずらす表示位置制御手段と、入力画像信号より補間方向に係る各周波数の成分を検出する周波数成分検出手段と、この周波数成分検出手段で検出された各周波数の成分のうち高域周波数成分の割合が所定値以下のとき、画像信号処理手段における各補間位置の位相を一律に、補間位置間を３６０゜として、第１の時間毎に、３６０゜より小さな変化単位で変化させる補間位相制御手段とを備えるものである。
【００１４】
この発明においては、入力画像信号に基づいて、少なくとも水平または垂直の補間方向における補間位置の画素データが生成され、出力画像信号が得られる。表示素子には、この出力画像信号による画像が表示される。例えば、画像の表示位置は、第２の時間毎に、補間方向に、１画素ずつずらされる。
【００１５】
各補間位置の位相は一律に、第１の時間毎に、変化するようにされる。この場合、変化単位は、補間位置間を３６０゜として、この３６０゜より小さくされる。上述したように、画像の表示位置が、第２の時間毎にずらされるとき、例えば第１の時間は第２の時間の１／Ｎ（Ｎは２以上の整数）とされ、各補間位置の位相の変化単位は３６０゜の１／Ｎとされる。
【００１６】
表示素子に表示される画像は所定時間毎に移動するので、画面の焼き付きを防止できる。この場合、１回の移動における画像の移動距離は、表示素子の画素間隔より短かく、例えば表示素子の画素間隔の１／Ｎとなる。そのため、画面の焼き付きを防止するための画像の移動が視覚的に気になることが軽減される。
【００１７】
また、入力画像信号より、補間方向に係る各周波数の成分が検出される。そして、各周波数の成分のうち高域周波数成分の割合、例えば各周波数の成分の総和に対する所定周波数以上の成分の総和の割合が所定値以下のとき、上述したように、各補間位置の位相が一律に変化するようにされる。
【００１８】
例えば、複数垂直期間毎に、検出された各周波数の成分に基づいて、高域周波数成分の割合が所定値以下か否かが判定される。このように複数垂直期間毎に判定することで、各垂直期間毎にばらつく高域周波数成分が平均化され、安定した制御が可能となる。この場合、例えば、１垂直期間または複数垂直期間である検出期間毎に、画面の一部に対応する画素データを用いて周波数成分が検出され、また画面の一部を検出期間毎にずらしていくようにされる。これにより、各検出期間で各周波数の成分を検出する処理を容易とでき、また画面全体に対応して各周波数の成分を検出できる。
【００１９】
高域周波数成分の割合が大きい場合には、補間位置の位相を変化させることによって画像に大きなボケが発生するおそれがある。高域周波数成分の割合が所定値以下のときのみ補間位置の位相を変化させることで、当該ボケの発生を防止できる。
【００２０】
例えば、所定値を調整する調整手段をさらに備えるようにしてもよい。これにより、補間位置の位相を変化させるか否かが決まる高域周波数成分の割合を変化させることができる。この場合、画像の移動が視覚的に気になることを軽減することに重きを置く場合には所定値が大きくし、逆にボケの発生を防止することに重きを置く場合には、所定値を小さくすればよい。
【００２１】
この発明に係る画像信号処理装置は、入力画像信号に基づいて、少なくとも水平または垂直の補間方向における補間位置の画素データを生成し、出力画像信号を得る画像信号処理手段と、入力画像信号より補間方向に係るエッジを検出するエッジ検出手段と、エッジ検出手段で検出されたエッジの所定時間当たりの個数が所定個数以下のとき、画像信号処理手段における各補間位置の位相を一律に、補間位置間を３６０゜として、第１の時間毎に、３６０゜より小さな変化単位で変化させる補間位相制御手段とを備えるものである。
【００２２】
また、この発明に係る画像信号処理方法は、入力画像信号に基づいて、少なくとも水平または垂直の補間方向における補間位置の画素データを生成し、出力画像信号を得る画像信号処理ステップと、入力画像信号より補間方向に係るエッジを検出するエッジ検出ステップと、エッジ検出ステップで検出されたエッジの所定時間当たりの個数が所定個数以下のとき、画像信号処理ステップにおける各補間位置の位相を一律に、補間位置間を３６０゜として、第１の時間毎に、３６０゜より小さな変化単位で変化させる補間位相制御ステップとを備えるものである。
【００２３】
また、この発明に係る画像表示装置は、入力画像信号に基づいて、少なくとも水平または垂直の補間方向における補間位置の画素データを生成し、出力画像信号を得る画像信号処理手段と、この画像信号処理手段で得られる出力画像信号による画像を表示する表示素子と、この表示素子に表示される画像の表示位置を、第２の時間毎に、補間方向に、１画素ずつずらす表示位置制御手段と、入力画像信号より補間方向に係るエッジを検出するエッジ検出手段と、このエッジ検出手段で検出されたエッジの所定時間当たりの個数が所定個数以下のとき、画像信号処理手段における各補間位置の位相を一律に、補間位置間を３６０゜として、第１の時間毎に、３６０゜より小さな変化単位で変化させる補間位相制御手段とを備えるものである。
【００２４】
この発明においては、入力画像信号に基づいて、少なくとも水平または垂直の補間方向における補間位置の画素データが生成され、出力画像信号が得られる。表示素子には、この出力画像信号による画像が表示される。例えば、画像の表示位置は、第２の時間毎に、補間方向に、１画素ずつずらされる。
【００２５】
各補間位置の位相は一律に、第１の時間毎に、変化するようにされる。この場合、変化単位は、補間位置間を３６０゜として、この３６０゜より小さくされる。上述したように、画像の表示位置が、第２の時間毎にずらされるとき、例えば第１の時間は第２の時間の１／Ｎ（Ｎは２以上の整数）とされ、各補間位置の位相の変化単位は３６０゜の１／Ｎとされる。
【００２６】
表示素子に表示される画像は所定時間毎に移動するので、画面の焼き付きを防止できる。この場合、１回の移動における画像の移動距離は、表示素子の画素間隔より短かく、例えば表示素子の画素間隔の１／Ｎとなる。そのため、画面の焼き付きを防止するための画像の移動が視覚的に気になることが軽減される。
【００２７】
また、入力画像信号より、補間方向に係るエッジが検出される。例えば、補間方向に隣接する一対の画素データ毎に、差分絶対値が取得され、この差分絶対値が所定レベル以上であるときはエッジであると判定されてエッジ検出信号が出力される。そして、所定時間当たりのエッジの個数が所定個数以下のとき、上述したように、各補間位置の位相が一律に変化するようにされる。この場合、例えば、複数垂直期間毎に、検出されたエッジの個数が所定個数以下か否かが判定される。このように複数垂直期間毎に判定することで、各垂直期間毎にばらつくエッジの個数が平均化され、安定した制御が可能となる。
【００２８】
所定時間当たりのエッジの個数が大きい場合には、補間位置の位相を変化させることによって画像に大きなボケが発生するおそれがある。所定時間当たりのエッジの個数が所定個数以下のときのみ補間位置の位相を変化させることで、当該ボケの発生を防止できる。
【００２９】
例えば、所定個数を調整する調整手段をさらに備えるようにしてもよい。これにより、補間位置の位相を変化させるか否かが決まる所定時間当たりのエッジの個数を変化させることができる。この場合、画像の移動が視覚的に気になることを軽減することに重きを置く場合には所定個数を大きくし、逆にボケの発生を防止することに重きを置く場合には、所定個数を小さくすればよい。
【発明の効果】
【００３０】
この発明によれば、入力画像信号に基づいて、少なくとも水平または垂直の補間方向における補間位置の画素データを生成し、出力画像信号を得るものにあって、入力画像信号より検出された補間方向に係る各周波数の成分のうち高域周波数成分の割合が所定値以下のとき、あるいは入力画像信号より検出されたエッジの所定時間当たりの個数が所定個数以下のとき、各補間位置の位相を一律に、補間位置間を３６０゜として、所定時間毎に、３６０゜より小さな変化単位で変化させるものであり、画面の焼き付きを防止するための画像の移動が視覚的に気になることを軽減し、また補間位置の位相を変化させることによって画像に大きなボケが発生するおそれがある場合にはそれを防止することができる。
【発明を実施するための最良の形態】
【００３１】
以下、この発明の実施の形態を図面を参照して説明する。
【００３２】
図１は、実施の形態としての画像表示装置１００の構成を示している。
【００３３】
この画像表示装置１００は、装置全体の動作を制御するシステムコントローラ１０１と、リモートコントロール信号を受信するリモコン信号受信部１０２とを有している。リモコン信号受信部１０２は、リモコン送信機２００からユーザの操作に応じて出力されるリモートコントロール信号ＲＭを受信し、その信号ＲＭに対応する操作信号をシステムコントローラ１０１に供給する。
【００３４】
また、画像表示装置１００は、ＴＶ入力としての画像信号ＶTVを入力する入力端子１０３と、ＰＣ入力としての画像信号ＶPCを入力する入力端子１０４とを有している。
【００３５】
本実施の形態において、画像信号ＶTVとして、４８０ｉ信号（ＳＤＴＶ信号）、７２０ｐ信号または１０８０ｉ信号（ＨＤＴＶ信号）が入力される。ここで、数値はライン数を表し、「ｉ」はインタレース方式を表し、「ｐ」はプログレッシブ方式を表している。因みに、４８０ｉ信号は、７２０×４８０ドットの解像度を持ち、７２０ｐ信号は１２８０×７２０ドットの解像度を持ち、１０８０ｉ信号は１９２０×１０８０ドットの解像度を持っている。
【００３６】
また、本実施の形態において、画像信号ＶPCとして、ＶＧＡ規格の画像信号（ＶＧＡ信号）、ＳＶＧＡ規格の画像信号（ＳＶＧＡ信号）またはＸＧＡ規格の画像信号（ＸＧＡ信号）が入力される。因みに、ＶＧＡ信号は６４０×４８０ドットの解像度を持ち、ＳＶＧＡ信号は８００×６００ドットの解像度を持ち、ＸＧＡ信号は１０２４×７６８ドットの解像度を持っている。
【００３７】
また、画像表示装置１００は、入力端子１０３に入力される画像信号ＶTVまたは入力端子１０４に入力される画像信号ＶPCを選択的に取り出す切換スイッチ１０５を有している。切換スイッチ１０５のａ側の固定端子には入力端子１０３が接続され、そのｂ側の固定端子には入力端子１０４が接続される。
【００３８】
また、画像表示装置１００は、切換スイッチ１０５で取り出される入力画像信号としての画像信号Ｖａの水平方向および垂直方向の補間位置の画素データを生成し、出力画像信号としての画像信号Ｖｂを得る、画像信号処理手段としての画素数変換部１０６を有している。この画素数変換部１０６は、水平方向および垂直方向の画素数を変換することで、画像信号Ｖｂとして画像信号Ｖａとは異なる解像度のものを得ることができる。
【００３９】
本実施の形態において、画像信号Ｖａが画像信号ＶTVであるときは、画像信号Ｖｂとして１０４０×７８４ドットの解像度の画像信号が得られ、画像信号Ｖａが画像信号ＶPCであるときは画像信号Ｖｂとして１００８×７５２ドットの解像度の画像信号が得られる。
【００４０】
画素数変換部１０６の詳細を説明する。図２は、画素数変換部１０６の構成例を示している。
【００４１】
画素数変換部１０６は、画像信号Ｖａを入力する入力端子１２１と、この入力端子１２１に入力される画像信号Ｖａに対してＩＰ(Interlace-Progressive)変換処理を行うＩＰ変換部１２２を有している。ＩＰ変換部１２２は、画像信号Ｖａがインタレース方式の画像信号である場合にそれをプログレッシブ方式の画像信号に変換して出力し、一方画像信号Ｖａがプログレッシブ方式の画像信号である場合にはその画像信号をそのまま出力する。
【００４２】
また、画素数変換部１０６は、水平ローパスフィルタ１２３を有している。この水平ローパスフィルタ１２３には、ＩＰ変換部１２２より出力される画像信号Ｖ１が入力される。この水平ローパスフィルタ１２３は、水平方向の画素数を減らすとき（水平縮小時）には、折り返し歪みの発生を防止するため、画像信号Ｖ１の水平方向の帯域を制限して画像信号Ｖ２として出力し、一方水平方向の画素数を増やすとき（水平拡大時）には、画像信号Ｖ１をそのまま画像信号Ｖ２として出力する。
【００４３】
また、画素数変換部１０６は、補間位置の画素データを生成する補間処理を行って水平方向の画素数を変換する水平補間フィルタ１２４を有している。この水平補間フィルタ１２４には、水平ローパスフィルタ１２３より出力される画像信号Ｖ２が入力されると共に、後述する垂直エンハンサ１２７より出力される画像信号Ｖ６が入力される。
【００４４】
この水平補間フィルタ１２４は、水平縮小時には、画像信号Ｖ２については水平方向の画素数を減らす方向に変換して画像信号Ｖ３として出力し、画像信号Ｖ６についてはそのまま画像信号Ｖ７として出力する。また、この水平補間フィルタ１２４は、水平拡大時には、画像信号Ｖ２についてはそのまま画像信号Ｖ３として出力し、画像信号Ｖ６については水平方向の画素数を増やす方向に変換して画像信号Ｖ７として出力する。
【００４５】
また、画素数変換部１０６は、垂直ローパスフィルタ１２５を有している。この垂直ローパスフィルタ１２５には、水平補間フィルタ１２４より出力される画像信号Ｖ３が入力される。この垂直ローパスフィルタ１２５は、画像信号Ｖ３の垂直方向の画素数を減らすとき（垂直縮小時）には、折り返し歪みの発生を防止するため、その画像信号Ｖ３の垂直方向の帯域を制限して画像信号Ｖ４として出力し、一方画像信号Ｖ３の垂直方向の画素数を増やすとき（垂直拡大時）には、その画像信号Ｖ３をそのまま画像信号Ｖ４として出力する。
【００４６】
また、画素数変換部１０６は、補間位置の画素データを生成する補間処理を行って垂直方向の画素数を変換する垂直補間フィルタ１２６を有している。この垂直補間フィルタ１２６には、垂直ローパスフィルタ１２５より出力される画像信号Ｖ４が入力される。この垂直補間フィルタ１２６は、垂直縮小時には、画像信号Ｖ４の垂直方向の画素数（垂直走査線数）を減らす方向に変換して画像信号Ｖ５として出力する。また、この垂直補間フィルタ１２６は、垂直拡大時には、画像信号Ｖ４の垂直方向の画素数を増やす方向に変換して画像信号Ｖ５として出力する。
【００４７】
また、画素数変換部１０６は、垂直エンハンサ１２７を有している。この垂直エンハンサ１２７には、垂直補間フィルタ１２６より出力される画像信号Ｖ５が入力される。この垂直エンハンサ１２７は、垂直拡大時には、画像のボケを軽減するため、画像信号Ｖ５の垂直方向の高域を強調して画像信号Ｖ６として出力し、一方垂直縮小時には、その画像信号Ｖ５をそのまま画像信号Ｖ６として出力する。
【００４８】
また、画素数変換部１０６は、水平エンハンサ１２８と、この水平エンハンサ１２８より出力される信号を画像信号Ｖｂとして出力する出力端子１２９とを有している。
【００４９】
水平エンハンサ１２８には、水平補間フィルタ１２４より出力される画像信号Ｖ７が入力される。この水平エンハンサ１２８は、水平拡大時には、画像のボケを軽減するため、画像信号Ｖ７の水平方向の高域を強調して画像信号Ｖｂとして出力し、一方水平縮小時には、その画像信号Ｖ７をそのまま画像信号Ｖｂとして出力する。
【００５０】
ここで、水平補間フィルタ１２４における補間処理について説明する。水平補間フィルタ１２４は、例えば補間関数としてsin(ｘ)／ｘを用いた補間処理を行う。図３は、補間関数としてsin(ｘ)／ｘを用いた場合の補間処理を示している。なお、図３では、水平方向の画素間隔を１として示している。
【００５１】
この場合、図３Ｂに示す水平方向の画素データＣ，Ｄの間に位置する、図３Ｃの画素データＸを生成するとき、補間関数は、図３Ａに示すように、画素データＸに対応する位置に頂点が位置するように配置される。
【００５２】
ここで、補間関数の頂点の値を１とし、画素データＢ，Ｃ，Ｄ，Ｅに対応する値を、それぞれの画素データＢ，Ｃ，Ｄ，Ｅに乗算して、その和をとることで、画素データＸが求められる。
【００５３】
図４は、sin(ｘ)／ｘを用いた補間処理を行う水平補間フィルタ１２４の構成例を示している。
【００５４】
入力信号は３個の１画素期間分の遅延時間を持つ遅延回路（ＤＬ）４１１〜４１３の直列回路に入力される。入力信号に乗算器４１４で係数Ｃ４が乗算されて得られた信号および遅延回路４１１の出力信号に乗算器４１５で係数Ｃ３が乗算されて得られた信号は加算器４１６で加算される。
【００５５】
また、この加算器４１６の出力信号および遅延回路４１２の出力信号に乗算器４１７で係数Ｃ２を乗算して得られた信号は加算器４１８で加算される。さらに、加算器４１８の出力信号および遅延回路４１３の出力信号に乗算器４１９で係数Ｃ３を乗算して得られた信号は加算器４２０で加算される。この加算器４２０の出力信号が、水平補間フィルタ１２４の出力信号とされる。
【００５６】
乗算器４１４，４１５，４１７，４１９には、それぞれ補間係数ＲＯＭ４２１，４２２，４２３，４２４より係数Ｃ４，Ｃ３，Ｃ２，Ｃ１が供給される。補間係数ＲＯＭ４２１，４２２，４２３，４２４には、図５に示すように、それぞれ補間関数の１≦ｘ＜２，０≦ｘ＜１，−１≦ｘ＜０，−２≦ｘ＜−１の範囲の値が記憶されている。
【００５７】
これらの補間係数ＲＯＭ４２１，４２２，４２３，４２４に、それぞれ、補間位置の位相ＰＨ（図３の処理例では、画素データＸ，Ｄの水平方向の間隔）に対応した読み出しアドレスＷＡＤを供給することで、この補間位置の位相ＰＨに対応した係数Ｃ４，Ｃ３，Ｃ２，Ｃ１が読み出される。
【００５８】
詳細説明は省略するが、垂直補間フィルタ１２６も、上述した水平補間フィルタ１２４と同様に、例えば補間関数としてsin(ｘ)／ｘを用いた補間処理を行う。この場合、垂直補間フィルタ１２６は、例えば図４に示す水平補間フィルタ１２４における遅延回路４１１〜４１３をそれぞれ１水平期間の遅延時間を有するものとすることで構成できる。
【００５９】
図２に示す画素数変換部１０６の動作を説明する。
【００６０】
まず、水平方向および垂直方向の画素数を減らす場合について説明する。
【００６１】
ＩＰ変換部１２２より出力される画像信号Ｖ１は水平ローパスフィルタ１２３に入力される。この水平ローパスフィルタ１２３は、折り返し歪みの発生を防止するため、画像信号Ｖ１の水平方向の帯域を制限して画像信号Ｖ２として出力する。この画像信号Ｖ２は水平補間フィルタ１２４に入力される。水平補間フィルタ１２４は、画像信号Ｖ２の水平方向の画素数を減らす方向に変換して画像信号Ｖ３として出力する。
【００６２】
水平補間フィルタ１２４より出力される画像信号Ｖ３は垂直ローパスフィルタ１２５に入力される。垂直ローパスフィルタ１２５は、折り返し歪みの発生を防止するため、画像信号Ｖ３の垂直方向の帯域を制限して画像信号Ｖ４として出力する。この画像信号Ｖ４は垂直補間フィルタ１２６に入力される。垂直補間フィルタ１２６は、画像信号Ｖ４の垂直方向の画素数（垂直走査線数）を減らす方向に変換して画像信号Ｖ５として出力する。
【００６３】
垂直補間フィルタ１２６より出力される画像信号Ｖｅは垂直エンハンサ１２７に入力されるが、この垂直エンハンサ１２７からそのまま画像信号Ｖ６として出力される。また、この画像信号Ｖ６は水平補間フィルタ１２４に入力されるが、この水平補間フィルタ１２４からそのまま画像信号Ｖ７として出力される。
【００６４】
さらに、この画像信号Ｖ７は水平エンハンサ１２８に入力されるが、この水平エンハンサ１２８からそのまま画像信号Ｖｂとして出力される。この画像信号Ｖｂは、画像信号Ｖａに対して、水平方向および垂直方向の画素数が減少されたものとなる。
【００６５】
次に、水平方向および垂直方向の画素数を増やす場合について説明する。
【００６６】
ＩＰ変換部１２２より出力される画像信号Ｖ１は水平ローパスフィルタ１２３に入力されるが、この水平ローパスフィルタ１２３からそのまま画像信号Ｖ２として出力される。この画像信号Ｖ２は水平補間フィルタ１２４に入力されるが、この水平補間フィルタ１２４からそのまま画像信号Ｖ３として出力される。さらに、この画像信号Ｖ３は垂直ローパスフィルタ１２５に入力されるが、この垂直ローパスフィルタ１２５からそのまま画像信号Ｖ４として出力される。
【００６７】
垂直ローパスフィルタ１２５より出力される画像信号Ｖ４は垂直補間フィルタ１２６に入力される。垂直補間フィルタ１２６は、画像信号Ｖ４の垂直方向の画素数を増やす方向に変換して画像信号Ｖ５として出力する。この画像信号Ｖ５は垂直エンハンサ１２７に入力される。垂直エンハンサ１２７は、画像のボケを軽減するため、画像信号Ｖ５の垂直方向の高域を強調して画像信号Ｖ６として出力する。
【００６８】
垂直エンハンサ１２７より出力される画像信号Ｖ６は水平補間フィルタ１２４に入力される。水平補間フィルタ１２４は、画像信号Ｖ６の水平方向の画素数を増やす方向に変換して画像信号Ｖ７として出力する。この画像信号Ｖ７は水平エンハンサ１２８に入力される。水平エンハンサ１２８は、画像のボケを軽減するため、画像信号Ｖ７の水平方向の高域を強調して画像信号Ｖｂとして出力する。この画像信号Ｖｂは、画像信号Ｖａに対して、水平方向および垂直方向の画素数が増加されたものとなる。
【００６９】
なお、画像数変換部１０６で水平方向および垂直方向の画素数を変換するためには、水平方向および垂直方向の補間位置の情報が必要である。この補間位置の情報は画像信号Ｖａのフォーマットによって異なる。この補間位置の情報は、システムコントローラ１０１から画素数変換部１０６に供給される。システムコントローラ１０１は、後述する入力フォーマット検出部１０７で検出される画像信号Ｖａのフォーマットに基づき、例えば図示しないＲＯＭテーブルから画像信号Ｖａのフォーマットに対応した補間位置の情報を取得する。
【００７０】
図１に戻って、画像表示装置１００は、切換スイッチ１０５で取り出される画像信号Ｖａのフォーマットを検出する入力フォーマット検出部１０７を有している。この検出部１０７は、画像信号Ｖａの水平周波数等から、当該画像信号Ｖａが４８０ｉ信号であるか、７２０ｐ信号であるか、１０８０ｉ信号であるか、ＶＧＡ信号であるか、ＳＶＧＡ信号であるか、ＸＧＡ信号であるかを検出する。
【００７１】
入力フォーマット検出部１０７は、フォーマット検出情報ＦＤＩをシステムコントローラ１０１に供給する。システムコントローラ１０１は、このフォーマット検出情報ＦＤＩに基づき、上述したように、画像信号Ｖａのフォーマットに対応した補間位置の情報を取得し、画素数変換部１０６に供給する。
【００７２】
また、画像表示装置１００は、切換スイッチ１０５で取り出される画像信号Ｖａより、補間方向である水平方向および垂直方向に係る各周波数の成分を検出する周波数成分検出部１１０を有している。例えば、この周波数成分検出部１１０は、高速フーリエ変換回路を用いて、水平方向に係る各周波数の成分と垂直方向に係る各周波数の成分とを検出する。また例えば、この周波数成分検出部１１０は、離散コサイン変換（ＤＣＴ：Discrete Cosine Transform）回路を用いて、水平方向に係る各周波数の成分と垂直方向に係る各周波数成分とを検出する。
【００７３】
各周波数の周波数成分を画面の全体から検出することもできるが、周波数成分を検出するための処理量が多くなって、処理が困難となる。そこで、本実施の形態において、周波数成分検出部１１０は、１垂直期間または複数垂直期間である検出期間毎に、画面の一部に対応する画素データを用いて周波数成分を検出し、この画面の一部を検出期間毎にずらしていく。例えば、高速フーリエ変換回路を用いる場合、画面の一部に対応する水平方向に並ぶ画素データ列をフーリエ変換して水平方向に係る各周波数の成分を検出し、また画面の一部に対応する垂直方向に並ぶ複数の画素データ列をフーリエ変換して垂直方向に係る各周波数の成分を検出する。また例えば、離散コサイン変換回路を用いる場合、画面の一部に対応する例えば８×８の画素データブロックを離散コサイン変換して、水平方向および垂直方向の周波数成分（ＤＣＴ係数）を検出する。
【００７４】
周波数成分検出部１１０は、検出期間毎に検出された、水平方向および垂直方向の各周波数の成分をシステムコントローラ１０１に供給する。システムコントローラ１０１は、この各周波数の成分に基づき、画素数変換部１０６において、補間位置の位相を変化させるか否かを決定する。
【００７５】
また、システムコントローラ１０１は、後述するように、画面の焼き付き防止のために焼き付き防止処理の制御を行う。この制御として、システムコントローラ１０１は、画像の表示位置を、水平方向および垂直方向に、時間Ｔ２毎に、１画素ずつずらしていく。またこの制御として、水平方向および垂直方向のそれぞれに関して、当該方向に係る各周波数成分のうち高域周波数の成分の割合が所定値以下のとき、時間Ｔ２の１／Ｎ（Ｎは２以上の整数）の時間Ｔ１毎に、画素数変換部１０６における各補間位置の位相を一律に、補間位置間を３６０゜として、３６０゜の１／Ｎの変化単位で変化させる。
【００７６】
この場合、システムコントローラ１０１は、周波数成分検出部１１０で検出された各周波数の成分の総和に対する所定周波数以上の成分の総和の割合が所定値以下のとき、各補間位置の位相を変化させる。上述したように、周波数成分検出部１１０では１垂直期間または複数垂直期間である検出期間毎に周波数成分の検出を行うが、システムコントローラ１０１では、複数検出期間毎、すなわち複数垂直期間毎に、各周波数の成分の総和に対する所定周波数以上の成分の総和の割合が所定値以下であるか否かの判定を行う。システムコントローラ１０１は、補間位相制御手段を構成している。
【００７７】
補間位置の位相を変化させることで、画像の移動が視覚的に気になることを軽減できる。しかし、高域周波数成分の割合が大きい場合には、補間位置の位相を変化させることによって画像に大きなボケが発生するおそれがある。高域周波数成分の割合が所定値以下のときのみ補間位置の位相を変化させることで、当該ボケの発生を防止できる。
【００７８】
ユーザは、送信機２００の操作により、上述の所定値を調整できる。これにより、補間位置の位相を変化させるか否かが決まる高域周波数成分の割合を変化させることができる。この場合、画像の移動が視覚的に気になることを軽減することに重きを置く場合には所定値が大きくし、逆にボケの発生を防止することに重きを置く場合には、所定値を小さくすればよい。
【００７９】
システムコントローラ１０１は、補間位置の位相を変化させる場合、上述したフォーマット検出情報ＦＤＩに基づき、例えばＲＯＭテーブルから画像信号Ｖａのフォーマットに対応したＮの値を取得する。本実施の形態においては、Ｎの値は、２，４，８のいずれかである。すなわち、画像信号Ｖａが４８０ｉ信号またはＶＧＡ信号であるときはＮ＝２、画像信号Ｖａが７２０ｐ信号またはＳＶＧＡ信号であるときはＮ＝４、さらに画像信号Ｖａが１０８０ｉ信号またはＸＧＡ信号であるときはＮ＝８とされる。
【００８０】
また、画像表示装置１００は、表示素子としてのＰＤＰ１０９と、画像数変換部１０６で得られる画像信号Ｖｂに基づいてＰＤＰ１０９を駆動し、ＰＤＰ１０９の画面に画像信号Ｖｂによる画像を表示するパネルドライバ１０８とを有している。
【００８１】
本実施の形態において、ＰＤＰ１０９はＸＧＡ規格に適応したものであり、水平方向に１０２４画素、垂直方向に７６８画素を持つ表示画面を備えている。
【００８２】
上述したように、画像信号ＶａがＰＣ入力としての画像信号ＶPCであるとき、画素数変換部１０６で得られる画像信号Ｖｂは１００８×７５２ドットの解像度を持っている。この場合、ＰＤＰ１０９の画面に対して、画像信号Ｖｂの１００８×７５２個の画素データは図６Ａに破線で示すように対応し、画像信号Ｖｂによる画像がアンダースキャン状態で表示される。この場合、画素データが存在しない領域は黒色で表示される。
【００８３】
このように画像信号Ｖｂによる画像をアンダースキャン状態で表示するのは、画面の焼き付き防止のために、後述するように焼き付き防止処理の制御によって画像の表示位置をずらしたときに、ＰＣ入力に係る画像の全部が表示されるなくなるのを防止するためである。
【００８４】
また上述したように、画像信号ＶａがＴＶ入力としての画像信号ＶTVであるとき、画素数変換部１０６で得られる画像信号Ｖｂは１０４０×７８４ドットの解像度を持っている。この場合、ＰＤＰ１０９の画面に対して、画像信号Ｖｂの１０４０×７８４個の画素データは図６Ｂに破線で示すように対応し、画像信号Ｖｂによる画像がオーバースキャン状態で表示される。
【００８５】
このように画像信号Ｖｂによる画像をオーバースキャン状態で表示するのは、画面の焼き付き防止のために、後述するように焼き付き防止処理の制御によって画像の表示位置をずらしたときに、画面にＴＶ入力に係る画像が表示されない領域が生じ、目障りとなることを防止するためである。
【００８６】
システムコントローラ１０１は、画面の焼き付き防止のために焼き付き防止処理の制御を行う。この場合、システムコントローラ１０１は、パネルドライバ１０８に、水平方向および垂直方向の表示位置情報を供給する。パネルドライバ１０８は、この表示位置情報に基づいて、ＰＤＰ１０９における画像の表示位置がずれるようにする。本実施の形態において、ＰＤＰ１０９に表示される画像の表示位置は、図６Ａ，Ｂの破線位置を０とし、水平方向および垂直方向に、それぞれ−７〜＋８の画素範囲で、時間Ｔ２毎に、１画素ずつずれるようにされる。システムコントローラ１０１は、表示位置制御手段を構成している。
【００８７】
ここで、システムコントローラ１０１における、焼き付き防止処理制御の情報発生部１５０について説明する。図７は、この情報発生部１５０の構成を示している。
【００８８】
この情報発生部１５０は、アップダウンカウンタで構成される水平カウンタ１５１と、アップダウンカウンタで構成される垂直カウンタ１５２とを備えている。これら水平カウンタ１５１および垂直カウンタ１５２は、それぞれ７ビットのカウンタであり、アップモードでカウント値が最大値である[1111111]となった後はダウンモードに移行し、逆にダウンモードでカウント値が最小値[0000000]となった後はアップモードに移行する。
【００８９】
水平カウンタ１５１および垂直カウンタ１５２のクロック端子ＣＫには、例えば数秒の周期を持つクロック信号ＳＣＫが供給される。また、水平カウンタ１５１のイネーブル端子ＥＮには、この水平カウンタ１５１のカウント動作を制御するイネーブル信号ＳＥＮ１が供給される。さらに、垂直カウンタ１５２のイネーブル端子ＥＮには、この垂直カウンタ１５２のカウント動作を制御するイネーブル信号ＳＥＮ２が供給される。
【００９０】
本実施の形態においては、水平カウンタ１５１のカウント値ＣＮＨおよび垂直カウンタ１５２のカウント値ＣＮＶは、図８Ａ，Ｂにそれぞれ示すように、第１〜第４の期間ＴＭ１の推移を繰り返すように制御される。
【００９１】
第１の期間ＴＭ１では、水平カウンタ１５１はクロック信号ＳＣＫに基づいてカウント動作（アップモード）を行い、そのカウント値ＣＮＨは[0000000]から[1111111]まで変化していく。また、この第１の期間ＴＭ１では、垂直カウンタ１５２はカウント動作を行わず、そのカウント値ＣＮＶは[0000000]のままにおかれる。
【００９２】
第２の期間ＴＭ２では、水平カウンタ１５１はカウント動作を行わず、そのカウント値ＣＮＨは[1111111]のままにおかれる。また、この第２の期間ＴＭ２では、垂直カウンタ１５２はクロック信号ＳＣＫに基づいてカウント動作（アップモード）を行い、そのカウント値ＣＮＶは[0000000]から[1111111]まで変化していく。
【００９３】
第３の期間ＴＭ３では、水平カウンタ１５１はクロック信号ＳＣＫに基づいてカウント動作（ダウンモード）を行い、そのカウント値ＣＮＨは[1111111]から[0000000]まで変化していく。また、この第３の期間ＴＭ３では、垂直カウンタ１５２はカウント動作を行わず、そのカウント値ＣＮＶは[1111111]のままにおかれる。
【００９４】
第４の期間ＴＭ４では、水平カウンタ１５１はカウント動作を行わず、そのカウント値ＣＮＨは[0000000]のままにおかれる。また、この第４の期間ＴＭ４では、垂直カウンタ１５２はクロック信号ＳＣＫに基づいてカウント動作（ダウンモード）を行い、そのカウント値ＣＮＶは[1111111]から[0000000]まで変化していく。
【００９５】
システムコントローラ１０１は、水平カウンタ１５１のカウント値ＣＮＨの上位４ビットのデータを水平表示位置情報として、また垂直カウンタ１５２のカウント値ＣＮＶの上位４ビットのデータを垂直表示位置情報として、パネルドライバ１０８に供給する。
【００９６】
パネルドライバ１０８は、カウント値ＣＮＨの上位４ビットが[0000]〜[1111]に変化するのに対応して、画像の表示位置を、水平方向に、それぞれ−７〜＋８の画素分だけずらす。また、パネルドライバ１０８は、カウント値ＣＮＶの上位４ビットが[0000]〜[1111]に変化するのに対応して、画像の表示位置を、垂直方向に、それぞれ−７〜＋８の画素分だけずらす。この場合、画像の表示位置は、クロック信号ＳＣＫの周期をｔとして、８ｔ毎に、水平方向または垂直方向に、１画素分だけずれる。つまりこの場合、上述したＴ２は８ｔである。
【００９７】
また、システムコントローラ１０１は、水平カウンタ１５１のカウント値ＣＮＨの下位３ビットb3〜b1のデータを水平位相変化情報として用いる。この場合、画像信号Ｖａが４８０ｉ信号またはＶＧＡ信号であるときは、この３ビットb3〜b1のうちの上位１ビットb3のみを用いる。そして、b3＝[0]であるときは、画像信号Ｖａから画像信号Ｖｂを得る際の水平方向の各補間位置の位相を変化させず、基準位相（０゜）のままとする。また、b3＝[1]であるときは、各補間位置の位相を一律に、３６０゜／２だけ変化させる。この場合、各補間位置の位相は、クロック信号ＳＣＫの周期をｔとして、４ｔ毎に、３６０゜／２＝１８０゜の変化単位で変化する。つまりこの場合、上述したＴ１は４ｔとなる。
【００９８】
図９Ａおよび図１０Ａは、それぞれ、画像信号Ｖａが４８０ｉ信号およびＶＧＡ信号の場合における、この画像信号Ｖａの水平方向の画素位置（「×」で図示）と、補間される画像信号Ｖｂの水平方向の画素位置、つまり補間位置（「○」で図示）との関係を示している。ただし、図示の補間位置は、b3＝[0]のとき、つまり基準位相（０゜）の状態のみを示している。b3＝[1]となると、各補間位置の位相が一律に１８０゜だけ変化し、補間位置は位相変化情報「１」で示す位置に移る。そして、再びb3＝[0]となると、各補間位置は、図示の位置、つまり位相変化情報「０」で示す位置に戻る。
【００９９】
画像信号Ｖａが７２０ｐ信号またはＳＶＧＡ信号であるときは、この３ビットb3〜b1のうちの上位２ビットb3,b2のみを用いる。そして、b3b2＝[00]であるときは、画像信号Ｖａから画像信号Ｖｂを得る際の水平方向の各補間位置の位相を変化させず、基準位相（０゜）のままとする。また、b3b2＝[01]であるときは、各補間位置の位相を一律に、３６０゜／４だけ変化させる。また、b3b2＝[10]であるときは、各補間位置の位相を一律に、３６０゜×２／４だけ変化させる。さらに、b3b2＝[11]であるときは、各補間位置の位相を一律に、３６０゜×３／４だけ変化させる。この場合、各補間位置の位相は、クロック信号ＳＣＫの周期をｔとして、２ｔ毎に、３６０゜／４＝９０゜の変化単位で変化する。つまりこの場合、上述したＴ１は２ｔとなる。
【０１００】
図９Ｂおよび図１０Ｂは、それぞれ、画像信号Ｖａが７２０ｐ信号およびＳＶＧＡ信号の場合における、この画像信号Ｖａの水平方向の画素位置（「×」で図示）と、補間される画像信号Ｖｂの水平方向の画素位置、つまり補間位置（「○」で図示）との関係を示している。ただし、図示の補間位置は、b3b2＝[00]のとき、つまり基準位相（０゜）の状態のみを示している。
【０１０１】
b3b2＝[01]となると、各補間位置の位相が一律に９０゜だけ変化し、補間位置は位相変化情報「１」で示す位置に移る。また、b3b2＝[10]となると、各補間位置の位相が一律にさらに９０゜だけ変化し、補間位置は位相変化情報「２」で示す位置に移る。また、b3b2＝[11]となると、各補間位置の位相が一律にさらに９０゜だけ変化し、補間位置は位相変化情報「３」で示す位置に移る。そして、再びb3b2＝[00]となると、各補間位置は、図示の位置、つまり位相変化情報「０」で示す位置に戻る。
【０１０２】
画像信号Ｖａが１０８０ｉ信号またはＸＧＡ信号であるときは、この３ビットb3〜b1の全てを用いる。そして、b3b2b1＝[000]であるときは、画像信号Ｖａから画像信号Ｖｂを得る際の水平方向の各補間位置の位相を変化させず、基準位相（０゜）のままとする。
【０１０３】
また、b3b2b1＝[001]であるときは、各補間位置の位相を一律に、３６０゜／８だけ変化させる。また、b3b2b1＝[010]であるときは、各補間位置の位相を一律に、３６０゜×２／８だけ変化させる。また、b3b2b1＝[011]であるときは、各補間位置の位相を一律に、３６０゜×３／８だけ変化させる。また、b3b2b1＝[100]であるときは、各補間位置の位相を一律に、３６０゜×４／８だけ変化させる。また、b3b2b1＝[101]であるときは、各補間位置の位相を一律に、３６０゜×５／８だけ変化させる。また、b3b2b1＝[110]であるときは、各補間位置の位相を一律に、３６０゜×６／８だけ変化させる。さらに、b3b2b1＝[111]であるときは、各補間位置の位相を一律に、３６０゜×７／８だけ変化させる。この場合、各補間位置の位相は、クロック信号ＳＣＫの周期をｔとして、ｔ毎に、３６０゜／８＝４５゜の変化単位で変化する。つまりこの場合、上述したＴ１はｔとなる。
【０１０４】
図９Ｃおよび図１０Ｃは、それぞれ、画像信号Ｖａが１０８０ｉ信号およびＳＸＧＡ信号の場合における、この画像信号Ｖａの水平方向の画素位置（「×」で図示）と、補間される画像信号Ｖｂの水平方向の画素位置、つまり補間位置（「○」で図示）との関係を示している。ただし、図示の補間位置は、b3b2b1＝[000]のとき、つまり基準位相（０゜）の状態のみを示している。
【０１０５】
b3b2b1＝[001]となると、各補間位置の位相が一律に４５゜だけ変化し、補間位置は位相変化情報「１」で示す位置に移る。また、b3b2b1＝[010]となると、各補間位置の位相が一律にさらに４５゜だけ変化し、補間位置は位相変化情報「２」で示す位置に移る。また、b3b2b1＝[011]となると、各補間位置の位相が一律にさらに４５゜だけ変化し、補間位置は位相変化情報「３」で示す位置に移る。また、b3b2b1＝[100]となると、各補間位置の位相が一律にさらに４５゜だけ変化し、補間位置は位相変化情報「４」で示す位置に移る。
【０１０６】
また、b3b2b1＝[101]となると、各補間位置の位相が一律にさらに４５゜だけ変化し、補間位置は位相変化情報「５」で示す位置に移る。また、b3b2b1＝[110]となると、各補間位置の位相が一律にさらに４５゜だけ変化し、補間位置は位相変化情報「６」で示す位置に移る。また、b3b2b1＝[111]となると、各補間位置の位相が一律にさらに４５゜だけ変化し、補間位置は位相変化情報「７」で示す位置に移る。そして、再びb3b2b1＝[000]となると、各補間位置は、図示の位置、つまり位相変化情報「０」で示す位置に戻る。
【０１０７】
また、システムコントローラ１０１は、垂直カウンタ１５２のカウント値ＣＮＶの下位３ビットb3〜b1のデータを垂直位相変化情報として用いる。この場合、画像信号Ｖａが４８０ｉ信号またはＶＧＡ信号であるときは、この３ビットb3〜b1のうちの上位１ビットb3のみを用い、上述した水平方向の場合と同様に、各補間位置の位相を一律に、クロック信号ＳＣＫの周期をｔとして、４ｔ毎に、３６０゜／２＝１８０゜の変化単位で変化させる。
【０１０８】
画像信号Ｖａが７２０ｐ信号またはＳＶＧＡ信号であるときは、この３ビットb3〜b1のうちの上位２ビットb3,b2のみを用い、上述した水平方向の場合と同様に、各補間位置の位相を一律に、クロック信号ＳＣＫの周期をｔとして、２ｔ毎に、３６０゜／４＝９０゜の変化単位で変化させる。さらに、画像信号Ｖａが１０８０ｉ信号またはＸＧＡ信号であるときは、この３ビットb3〜b1の全てを用い。上述した水平方向の場合と同様に、各補間位置の位相を一律に、クロック信号ＳＣＫの周期をｔとして、ｔ毎に、３６０゜／８＝４５゜の変化単位で変化させる。
【０１０９】
次に、図１に示す、画像表示装置１００の動作を説明する。
【０１１０】
入力端子１０３には、チューナ（図示せず）等からＴＶ入力としての画像信号ＶTV（４８０ｉ信号、７２０ｐ信号または１０８０ｉ信号）が入力される。入力端子１０４には、パーソナルコンピュータ（図示せず）等からＰＣ入力としての画像信号ＶPC（ＶＧＡ信号、ＳＶＧＡ信号またはＸＧＡ信号）が入力される。
【０１１１】
入力端子１０３に入力される画像信号ＶTVは切換スイッチ１０５のａ側の固定端子に供給される。入力端子１０４に入力される画像信号ＶPCは切換スイッチ１０５のｂ側の固定端子に供給される。この切換スイッチ１０５は、ユーザがリモコン送信機２００の操作でＴＶ入力を選択したかＰＣ入力を選択したかにより、システムコントローラ１０１の制御のもと、ａ側またはｂ側に切り換えられる。
【０１１２】
この切換スイッチ１０５からは、画像信号Ｖａとして、ａ側に切り換えられるときは画像信号ＶTVが取り出され、一方ｂ側に切り換えられるときは画像信号ＶPCが取り出される。このように切換スイッチ１０５で取り出される画像信号Ｖａは画素数変換部１０６、入力フォーマット検出部１０７および周波数成分検出部１１０に供給される。
【０１１３】
入力フォーマット検出部１０７では、画像信号Ｖａの水平周波数等から、当該画像信号Ｖａが４８０ｉ信号であるか、７２０ｐ信号であるか、１０８０ｉ信号であるか、ＶＧＡ信号であるか、ＳＶＧＡ信号であるか、ＸＧＡ信号であるかが検出される。この検出部１０７から出力されるフォーマット検出情報ＦＤＩはシステムコントローラ１０１に供給される。
【０１１４】
また、周波数成分検出部１１０では、画像信号Ｖａより、補間方向である水平方向および垂直方向に係る各周波数の成分が検出される。この検出部１１０で検出される各周波数の成分はシステムコントローラ１０１に供給される。この場合、１垂直期間または複数垂直期間である検出期間毎に、画面の一部に対応する画素データを用いて周波数成分が検出され、この画面の一部は検出期間毎にずらされていく。
【０１１５】
システムコントローラ１０１は、このフォーマット検出情報ＦＤＩに基づき、例えばＲＯＭテーブルから画像信号Ｖａのフォーマットに対応した補間位置の情報を取得し、この補間位置の情報を画素数変換部１０６に供給する。
【０１１６】
画像数変換部１０６では、システムコントローラ１０１より供給される補間位置の情報に基づいて、水平方向および垂直方向における補間位置の画素データが、画像信号Ｖａの画素データを用いて生成され、画素数が変換された画像信号Ｖｂが得られる。この場合、画像信号ＶａがＴＶ入力としての画像信号ＶTVであるときは、画像信号Ｖｂとして１０４０×７８４ドットの解像度の画像信号が得られ、画像信号ＶａがＰＣ入力としての画像信号ＶPCであるときは、画像信号Ｖｂとして１００８×７５２ドットの解像度の画像信号が得られる。
【０１１７】
このように画素数変換部１０６で得られる画像信号Ｖｂはパネルドライバ１０８に供給される。パネルドライバ１０８は、画像信号Ｖｂに基づいてＰＤＰ１０９を駆動し、ＰＤＰ１０９の画面に画像信号Ｖｂによる画像を表示する。
【０１１８】
上述したように、ＰＤＰ１０９はＸＧＡ規格に適応したものであり、水平方向に１０２４画素、垂直方向に７６８画素を持つ表示画面を備えている。そのため、画像信号ＶａがＰＣ入力としての画像信号ＶPCであって、画素数変換部１０６で得られる画像信号Ｖｂが１００８×７５２ドットの解像度を持つものとされるときは、ＰＤＰ１０９の画面に対して、画像信号Ｖｂの１００８×７５２個の画素データは図６Ａに破線で示すように対応し、画像信号Ｖｂによる画像がアンダースキャン状態で表示される。この場合、画素データが存在しない領域は黒色で表示される。
【０１１９】
一方、画像信号ＶａがＴＶ入力としての画像信号ＶTVであって、画素数変換部１０６で得られる画像信号Ｖｂは１０４０×７８４ドットの解像度を持つものとされるときは、ＰＤＰ１０９の画面に対して、画像信号Ｖｂの１０４０×７８４個の画素データは図６Ｂに破線で示すように対応し、画像信号Ｖｂによる画像がオーバースキャン状態で表示される。
【０１２０】
次に、画面の焼き付き防止のための焼き付き防止処理の動作を説明する。システムコントローラ１０１は、パネルドライバ１０８に、水平方向および垂直方向の表示位置情報を供給する。パネルドライバ１０８は、この表示位置情報に基づいて、ＰＤＰ１０９に表示される画像が、図６Ａ，Ｂの破線位置を０とし、水平方向および垂直方向に−７〜＋８の画素範囲で、表示位置が１画素ずつずれるように、ＰＤＰ１０９を駆動する。
【０１２１】
この場合、水平表示位置情報として、図８Ａに示すように推移する、水平カウンタ１５１（図７参照）のカウント値ＣＮＨの上位４ビットが使用される。また、垂直表示位置情報として、図８Ｂに示すように推移する、垂直カウンタ１５２（図７参照）のカウント値ＣＮＶの上位４ビットが使用される。
【０１２２】
カウント値ＣＮＨ，ＣＮＶが、図８Ａ，Ｂにそれぞれ示すように推移する場合、第１の期間ＴＭ１では、画像の表示位置は、垂直方向に−７の画素分だけずれた状態で、水平方向に−７〜＋８の画素分だけ順次ずれていく。これに続く第２の期間ＴＭ２では、画像の表示位置は、水平方向に＋８の画素分だけずれた状態で、垂直方向に−７〜＋８の画素分だけ順次ずれていく。これに続く第３の期間ＴＭ３では、画像の表示位置は、垂直方向に＋８の画素分だけずれた状態で、水平方向に＋８〜−７の画素分だけ順次ずれていく。これに続く第４の期間ＴＭ４では、画像の表示位置は、水平方向に−７の画素分だけずれた状態で、垂直方向に＋８〜−７の画素分だけ順次ずれていく。
【０１２３】
また、システムコントローラ１０１は、水平方向および垂直方向のそれぞれに関して、当該方向に係る各周波数成分のうち高域周波数成分の割合が所定値以下であると判定するとき、当該方向に係る各補間位置の位相を一律に変化させる。この場合、システムコントローラ１０１は、複数検出期間毎、従って複数垂直期間毎に、各周波数の成分の総和に対する所定周波数以上の成分の総和の割合が所定値以下であるか否かの判定を行う。
【０１２４】
補間位置の位相を変化させる場合には、カウント値ＣＮＨの下位３ビットb3b2b1を水平位相変化情報として使用すると共に、カウント値ＣＮＶの下位３ビットb3b2b1を垂直位相変化情報として使用し、パネルドライバ１０８による駆動によって、画像の表示位置が１画素分ずれる間に、補間位置の位相を、３６０゜／Ｎの変化単位で順次変化させる。
【０１２５】
この場合、画像信号Ｖａが４８０ｉ信号またはＶＧＡ信号であるときはＮ＝２、画像信号Ｖａが７２０ｐ信号またはＳＶＧＡ信号であるときはＮ＝４、さらに画像信号Ｖａが１０８０ｉ信号またはＸＧＡ信号であるときはＮ＝８である。つまり、画像信号Ｖａの水平または垂直の補間方向の画素数をｎ、画像信号Ｖｂの補間方向の画素数をｍとし、画素数の変換比率をｍ／ｎとするとき、この変換比率ｍ／ｎが小さい程、変化単位は小さくされる。
【０１２６】
このように、画像の表示位置が１画素分ずれる間に、補間位置の位相を、３６０゜／Ｎの変化単位で順次変化させるものであり、ＰＤＰ１０９の画面に表示される画像の、一回の移動における移動距離は、画素間隔の１／Ｎとなる。
【０１２７】
図１１Ａは、画像信号Ｖａが４８０ｉ信号またはＶＧＡ信号である場合における水平方向の画像の移動を示している。この図１１Ａにおいて、１つの正方形部分がＰＤＰ１０９の１画素に対応している。これは、以下の図１１Ｂ，Ｃにおいても同様である。
【０１２８】
カウント値ＣＮＨの上位４ビットが[0000]かつその下位３ビットb3b2b1のうちのビットb3が[0]であるときは、画像の表示位置は−７の画素分だけずれていると共に、補間位置の位相は基準位相（０゜）にある。このとき、画像は、その注目点が★(a)の位置にある状態となっている。
【０１２９】
クロック信号ＳＣＫの周期をｔとして、４ｔ後に、カウント値ＣＮＨの上位４ビットは[0000]のままであるが、ビットb3は[１]に変化する。この場合、各補間位置の位相が基準位相から一律に１８０゜だけ変化する。そのため、画像の表示位置は−７の画素分だけずれた状態で変わらないが、画像は、その注目点が★(a)から画素間隔の１／２だけずれた☆(b)となるように移動する。
【０１３０】
また、４ｔ後に、カウント値ＣＮＨの上位４ビットは[0001]に変化し、またビットb3は[0]に変化する。この場合、補間位置の位相は基準位相に戻るが、画像の表示位置が左方向に１画素分ずれ、その表示位置は−６の画素分だけずれた状態となる。そのため、画像は、その注目点が☆(b)から画素間隔の１／２だけずれた☆(c)となるように移動する。
【０１３１】
以下、上述した繰り返しで、ＰＤＰ１０９に表示される画像は画素間隔の１／２の移動単位で移動していく。なお、詳細説明は省略するが、垂直方向に関しても同様であり、画像は画素間隔の１／２の移動単位で移動していく。
【０１３２】
図１１Ｂは、画像信号Ｖａが７２０ｉ信号またはＳＶＧＡ信号である場合における水平方向の画像の移動を示している。
【０１３３】
カウント値ＣＮＨの上位４ビットが[0000]かつその下位３ビットb3b2b1のうちのビットb3b2が[00]であるときは、画像の表示位置は−７の画素分だけずれていると共に、補間位置の位相は基準位相（０゜）にある。このとき、画像は、その注目点が★(a)の位置にある状態となっている。
【０１３４】
クロック信号ＳＣＫの周期をｔとして、２ｔ後に、カウント値ＣＮＨの上位４ビットは[0000]のままであるが、ビットb3b2は[0１]に変化する。この場合、各補間位置の位相が基準位相から一律に９０゜だけ変化する。そのため、画像の表示位置は−７の画素分だけずれた状態で変わらないが、画像は、その注目点が★(a)から画素間隔の１／４だけずれた☆(b)となるように移動する。
【０１３５】
また、２ｔ後に、カウント値ＣＮＨの上位４ビットは[0000]のままであるが、ビットb3b2は[10]に変化する。この場合、各補間位置の位相が基準位相から一律に１８０゜だけ変化する。そのため、画像の表示位置は−７の画素分だけずれた状態で変わらないが、画像は、その注目点が☆(b)から画素間隔の１／４だけずれた☆(c)となるように移動する。
【０１３６】
また、２ｔ後に、カウント値ＣＮＨの上位４ビットは[0000]のままであるが、ビットb3b2は[1１]に変化する。この場合、各補間位置の位相が一律に２７０゜だけ変化する。そのため、画像の表示位置は−７の画素分だけずれた状態で変わらないが、画像は、その注目点が☆(c)から画素間隔の１／４だけずれた☆(d)となるように移動する。
【０１３７】
また、２ｔ後に、カウント値ＣＮＨの上位４ビットは[0001]に変化し、またビットb3b2は[00]に変化する。この場合、補間位置の位相は基準位相に戻るが、画像の表示位置が左方向に１画素分ずれ、その表示位置は−６の画素分だけずれた状態となる。そのため、画像は、その注目点が☆(d)から画素間隔の１／４だけずれた☆(e)となるように移動する。
【０１３８】
以下、上述した繰り返しで、ＰＤＰ１０９に表示される画像は画素間隔の１／４の移動単位で移動していく。なお、詳細説明は省略するが、垂直方向に関しても同様であり、画像は画素間隔の１／４の移動単位で移動していく。
【０１３９】
図１１Ｃは、画像信号Ｖａが１０８０ｉ信号またはＸＧＡ信号である場合における水平方向の画像の移動を示している。
【０１４０】
カウント値ＣＮＨの上位４ビットが[0000]かつその下位３ビットb3b2b1が[000]であるときは、画像の表示位置は−７の画素分だけずれていると共に、補間位置の位相は基準位相（０゜）にある。このとき、画像は、その注目点が★(a)の位置にある状態となっている。
【０１４１】
クロック信号ＳＣＫの周期をｔとして、ｔ後に、カウント値ＣＮＨの上位４ビットは[0000]のままであるが、ビットb3b2b1は[00１]に変化する。この場合、各補間位置の位相が基準位相から一律に４５゜だけ変化する。そのため、画像の表示位置は−７の画素分だけずれた状態で変わらないが、画像は、その注目点が★(a)から画素間隔の１／８だけずれた☆(b)となるように移動する。
【０１４２】
また、ｔ後に、カウント値ＣＮＨの上位４ビットは[0000]のままであるが、ビットb3b2b1は[010]に変化する。この場合、各補間位置の位相が基準位相から一律に９０゜だけ変化する。そのため、画像の表示位置は−７の画素分だけずれた状態で変わらないが、画像は、その注目点が☆(b)から画素間隔の１／８だけずれた☆(c)となるように移動する。
【０１４３】
また、ｔ後に、カウント値ＣＮＨの上位４ビットは[0000]のままであるが、ビットb3b2b1は[011]に変化する。この場合、各補間位置の位相が基準位相から一律に１３５゜だけ変化する。そのため、画像の表示位置は−７の画素分だけずれた状態で変わらないが、画像は、その注目点が☆(c)から画素間隔の１／８だけずれた☆(d)となるように移動する。
【０１４４】
また、ｔ後に、カウント値ＣＮＨの上位４ビットは[0000]のままであるが、ビットb3b2b1は[100]に変化する。この場合、各補間位置の位相が基準位相から一律に１８０゜だけ変化する。そのため、画像の表示位置は−７の画素分だけずれた状態で変わらないが、画像は、その注目点が☆(d)から画素間隔の１／８だけずれた☆(e)となるように移動する。
【０１４５】
また、ｔ後に、カウント値ＣＮＨの上位４ビットは[0000]のままであるが、ビットb3b2b1は[101]に変化する。この場合、各補間位置の位相が基準位相から一律に２２５゜だけ変化する。そのため、画像の表示位置は−７の画素分だけずれた状態で変わらないが、画像は、その注目点が☆(e)から画素間隔の１／８だけずれた☆(f)となるように移動する。
【０１４６】
また、ｔ後に、カウント値ＣＮＨの上位４ビットは[0000]のままであるが、ビットb3b2b1は[110]に変化する。この場合、各補間位置の位相が基準位相から一律に２７０゜だけ変化する。そのため、画像の表示位置は−７の画素分だけずれた状態で変わらないが、画像は、その注目点が☆(f)から画素間隔の１／８だけずれた☆(g)となるように移動する。
【０１４７】
また、ｔ後に、カウント値ＣＮＨの上位４ビットは[0000]のままであるが、ビットb3b2b1は[11１]に変化する。この場合、各補間位置の位相が基準位相から一律に３１５゜だけ変化する。そのため、画像の表示位置は−７の画素分だけずれた状態で変わらないが、画像は、その注目点が☆(g)から画素間隔の１／８だけずれた☆(h)となるように移動する。
【０１４８】
また、ｔ後に、カウント値ＣＮＨの上位４ビットは[0001]に変化し、またビットb3b2b1は[000]に変化する。この場合、補間位置の位相は基準位相に戻るが、画像の表示位置が左方向に１画素分ずれ、その表示位置は−６の画素分だけずれた状態となる。そのため、画像は、その注目点が☆(h)から画素間隔の１／８だけずれた☆(i)となるように移動する。
【０１４９】
以下、上述した繰り返しで、ＰＤＰ１０９に表示される画像は画素間隔の１／８の移動単位で移動していく。なお、詳細説明は省略するが、垂直方向に関しても同様であり、画像は画素間隔の１／８の移動単位で移動していく。
【０１５０】
このように第１の実施の形態によれば、ＰＤＰ１０９に表示される画像は、クロック信号ＳＣＫの周期をｔとして、４ｔ、２ｔまたはｔ毎に移動するので、画面の焼き付きを防止できる。この場合、一回の移動における画像の水平方向または垂直方向の移動距離は、画素間隔より短く、例えば画素間隔の１／２、１／４、１／８である。そのため、画面の焼き付きを防止するための画像の移動が視覚的に気になることを軽減できる。
【０１５１】
また、第１の実施の形態によれば、周波数成分検出部１１０では、水平方向および垂直方向のそれぞれに関して、当該方向に係る各周波数の成分が検出される。そして、システムコントローラ１０１は、各周波数の成分のうち高域周波数成分の割合、例えば各周波数の成分の総和に対する所定周波数以上の成分の総和の割合が、所定値以下のとき、各補間位置の位相が一律に変化するように制御する。したがって、高域周波数成分の割合が大きい場合には、補間位置の位相を変化させることによって画像に大きなボケが発生するおそれがあるが、本実施の形態においては、高域周波数成分の割合が所定値以下のときのみ補間位置の位相を変化させるものであり、当該ボケの発生を防止できる。
【０１５２】
また、第１の実施の形態によれば、システムコントローラ１０１は、複数検出期間、すなわち複数垂直期間毎に、周波数成分検出部１１０で検出された各周波数の成分に基づいて、高域周波数成分の割合が所定値以下か否かを判定する。このように複数垂直期間毎に判定することで、各垂直期間毎にばらつく高域周波数成分が平均化され、安定した制御を行うことができる。
【０１５３】
そして、第１の実施の形態によれば、周波数成分検出部１１０で、１垂直期間または複数垂直期間である検出期間毎に、画面の一部に対応する画素データを用いて周波数成分が検出され、また画面の一部を検出期間毎にずらしていくようにされる。これにより、各検出期間で各周波数の成分を検出する処理を容易とでき、また画面全体に対応して各周波数の成分を検出できる。例えば、１検出期間が１／６０秒で、複数検出期間が１分であるときは、画面の３６００箇所の部分で各周波数の成分を検出できる。
【０１５４】
また、第１の実施の形態によれば、ユーザは送信機２００の操作により、システムコントローラ１０１での判定基準である所定値を調整できる。これにより、当該所定値を大きくすることで、画像の移動が視覚的に気になることを軽減することに重きを置くことができ、一方当該所定値を小さくすることで、ボケの発生を防止することに重きを置くことができる。
【０１５５】
次に、この発明の第２の実施の形態について説明する。図１２は、第２の実施の形態としての画像表示装置１００Ａの構成を示している。この図１２において、図１と対応する部分には同一符号を付し、その詳細説明は省略する。
【０１５６】
画像表示装置１００Ａは、図１の画像表示装置１００における周波数成分検出部１１０の代わりに、エッジ検出部１１１を有している。このエッジ検出部１１１は、切換スイッチ１０５で取り出される画像信号Ｖａより、補間方向である水平方向および垂直方向に係るエッジを検出する。例えば、このエッジ検出部１１１は、水平方向に関して、画像信号Ｖａを構成する水平方向に隣接する一対の画素データ毎に、差分絶対値を取得し、この差分絶対値が所定レベル以上であるときはエッジであると判定して、エッジ検出信号を出力する。同様に、このエッジ検出部１１１は、垂直方向に関して、画像信号Ｖａを構成する垂直方向に隣接する一対の画素データ毎に、差分絶対値を取得し、この差分絶対値が所定レベル以上であるときはエッジであると判定して、エッジ検出信号を出力する。
【０１５７】
エッジ検出部１１１は、エッジ検出信号をシステムコントローラ１０１に供給する。システムコントローラ１０１は、図１の画像表示装置１００と同様に、焼き付き防止処理の制御として、画像の表示位置を、水平方向および垂直方向に、時間Ｔ２毎に、１画素ずつずらしていく。さらに、システムコントローラ１０１は、エッジ検出部１１１から供給されるエッジ検出信号に基づいて、画素数変換部１０６において、補間位置の位相を変化させるか否かを決定する。
【０１５８】
すなわち、システムコントローラ１０１は、水平方向および垂直方向のそれぞれに関して、エッジ検出部１１１で検出された当該方向に係る所定時間当たりのエッジの個数が所定個数以下のとき、時間Ｔ２の１／Ｎ（Ｎは２以上の整数）の時間Ｔ１毎に、画素数変換部１０６における各補間位置の位相を一律に、補間位置間を３６０゜として、３６０゜の１／Ｎの変化単位で変化させる。例えば、システムコントローラ１０１では、複数垂直期間毎に、エッジの個数が所定個数以下であるか否かの判定を行う。
【０１５９】
補間位置の位相を変化させることで、画像の移動が視覚的に気になることを軽減できる。しかし、エッジの個数が大きい場合には、補間位置の位相を変化させることによって画像に大きなボケが発生するおそれがある。エッジの個数が所定個数以下のときのみ補間位置の位相を変化させることで、当該ボケの発生を防止できる。
【０１６０】
ユーザは、送信機２００の操作により、上述の所定個数を調整できる。これにより、補間位置の位相を変化させるか否かが決まる所定時間当たりのエッジの個数を変化させることができる。この場合、画像の移動が視覚的に気になることを軽減することに重きを置く場合には所定個数が大きくし、逆にボケの発生を防止することに重きを置く場合には、所定個数を小さくすればよい。
【０１６１】
図１２に示す画像表示装置１００Ａのその他は図１に示す画像表示装置１００と同様に構成される。そして、詳細説明は省略するが、画像表示装置１００Ａの動作は、補間位置の位相を変化させるか否かの判定を上述したようにエッジ検出部１１１で検出されたエッジの個数で判定していることを除けば、上述した図１に示す画像表示装置１００と同様である。
【０１６２】
このように、第２の実施の形態によれば、ＰＤＰ１０９に表示される画像は、クロック信号ＳＣＫの周期をｔとして、４ｔ、２ｔまたはｔ毎に移動するので、画面の焼き付きを防止できる。この場合、一回の移動における画像の水平方向または垂直方向の移動距離は、画素間隔より短く、例えば画素間隔の１／２、１／４、１／８である。そのため、画面の焼き付きを防止するための画像の移動が視覚的に気になることを軽減できる。
【０１６３】
また、第２の実施の形態によれば、エッジ検出部１１１では、水平方向および垂直方向のそれぞれに関して、当該方向に係るエッジが検出される。そして、システムコントローラ１０１は、所定時間当たりのエッジの個数が所定個数以下のとき、各補間位置の位相が一律に変化するように制御する。したがって、エッジの個数が多い場合には、補間位置の位相を変化させることによって画像に大きなボケが発生するおそれがあるが、本実施の形態においては、エッジの個数が所定個数以下のときのみ補間位置の位相を変化させるものであり、当該ボケの発生を防止できる。
【０１６４】
また、第２の実施の形態によれば、システムコントローラ１０１は、複数垂直期間毎に、エッジ検出部１１１で検出されたエッジの個数が所定個数以下であるか否かを判定する。このように複数垂直期間毎に判定することで、各垂直期間毎にばらつくエッジの個数が平均化され、安定した制御を行うことができる。
【０１６５】
また、第２の実施の形態によれば、ユーザは送信機２００の操作により、システムコントローラ１０１での判定基準である所定個数を調整できる。これにより、当該所定個数を大きくすることで、画像の移動が視覚的に気になることを軽減することに重きを置くことができ、一方当該所定個数を小さくすることで、ボケの発生を防止することに重きを置くことができる。
【０１６６】
なお、上述実施の形態においては、水平方向の補間位置の位相変化を行うか否か、および垂直方向の補間位置の位相変化を行うか否かを、それぞれ別個独立に判定するものを示した。しかし、水平方向および垂直方向に係る周波数成分（またはエッジの個数）を加算し、その加算値に基づいて、水平方向および垂直方向の補間位置の位相変化を行うか判定するようにしてもよい。
【０１６７】
また、上述実施例においては、水平カウンタ１５１のカウント値ＣＮＨおよび垂直カウンタ１５２のカウント値ＣＮＶを図８Ａ，Ｂのように推移させ、ＰＤＰ１０９に表示される画像の表示位置を右から左→下から上→左から右→上から下の繰り返しで移動するようにしたものであるが、画像の表示位置の移動のパターンはこれに限定されるものではない。カウント値ＣＮＨ，ＣＮＶの推移を変更することで、種々の移動パターンを実現できる。
【０１６８】
また、上述実施の形態においては、補間位置の位相を、補間位置間を３６０゜として、３６０゜／２、３６０゜／４、３６０゜／８の変化単位で変化させるものを示したが、変化単位はこれに限定されるものではない。要は、３６０゜より小さな変化単位で補間位置の位相を変化させることで、一回の移動における画像の水平方向または垂直方向の移動距離を画素間隔より小さくでき、画面の焼き付きを防止するための画像の移動が視覚的に気になることを軽減できる。
【０１６９】
また、上述実施の形態においては、入力フォーマット検出部１０７によって、切換スイッチ１０５で取り出される画像信号Ｖａのフォーマットを検出し、フォーマット検出情報ＦＤＩをシステムコントローラ１０１に供給するものである。しかし、画像信号Ｖａのフォーマットの情報を、ユーザがリモコン送信機２００を操作することで、システムコントローラ１０１に与えるものであってもよい。
【０１７０】
また、上述実施の形態における画像信号Ｖｂの解像度、ＰＤＰ１０９に表示される画像の移動範囲は一例であって、この発明はこれに限定されるものではない。また、上述実施の形態においては、表示素子がＰＤＰ１０９であるものを示したが、この発明は、焼き付きが生じるその他の表示素子、例えばＬＣＤ(Liquid Crystal Display)を使用する画像表示装置等にも同様に適用できることは勿論である。
【０１７１】
また、上述実施の形態としては、ＰＣ入力としての画像信号ＶPCがＶＧＡ信号、ＳＶＧＡ信号、ＸＧＡ信号である例を示しており、画素数変換部１０６で、この画像信号ＶPCがこれとは異なる画素数の画像信号Ｖｂに変換されるものを示した。
【０１７２】
しかし、ＰＤＰ１０９の解像度と合っている画像信号ＶPCが画素数変換部１０６に画像信号Ｖａとして入力される場合も考えられる。その場合には、画素数変換部１０６で画素数を増減する必要はなく、この画素数変換部１０６より出力される画像信号Ｖｂの画素数は入力される画像信号Ｖａと同じものとされる。
【産業上の利用可能性】
【０１７３】
この発明は、補間位置の位相を変化させて画像の移動が視覚的に気になることを軽減し、また補間位置の位相を変化させることによって画像に大きなボケが発生するおそれがある場合にはそれを防止するものであり、例えばＰＤＰ，ＬＣＤ等の表示素子の焼き付きを防止する用途に適用できる。
【図面の簡単な説明】
【０１７４】
【図１】第１の実施の形態としての画像表示装置の構成を示すブロック図である。
【図２】画素数変換部の構成を示すブロック図である。
【図３】補間関数としてsin(ｘ)／ｘを用いた場合の補間処理を説明するための図である。
【図４】水平補間フィルタ（４タップ構成）の構成例を示すブロック図である。
【図５】補間係数ＲＯＭを説明するための図である。
【図６】画素数変換および画像表示を説明するための図である。
【図７】焼き付き防止処理制御の情報発生部の構成を示すブロック図である。
【図８】オービティング制御の情報発生部における水平カウンタ、垂直カウンタのカウント値の推移を示す図である。
【図９】補間位置の位相変化を説明するための図である。
【図１０】補間位置の位相変換を説明するための図である。
【図１１】画像の移動を説明するための図である。
【図１２】第２の実施の形態としての画像表示装置の構成を示すブロック図である。
【符号の説明】
【０１７５】
１００，１００Ａ・・・画像表示装置、１０１・・・システムコントローラ、１０２・・・リモコン信号受信部、１０３，１０４・・・入力端子、１０５・・・切換スイッチ、１０６・・・画素数変換部、１０７・・・入力フォーマット検出部、１０８・・・パネルドライバ、１０９・・・ＰＤＰ、１１０・・・周波数成分検出部、１１１・・・エッジ検出部、１５０・・・情報発生部、１５１・・・水平カウンタ、１５２・・・垂直カウンタ
【図１】
2005043720.tif 000003
【図２】
2005043720.tif 000004
【図３】
2005043720.tif 000005
【図４】
2005043720.tif 000006
【図５】
2005043720.tif 000007
【図６】
2005043720.tif 000008
【図７】
2005043720.tif 000009
【図８】
2005043720.tif 000010
【図９】
2005043720.tif 000011
【図１０】
2005043720.tif 000012
【図１１】
2005043720.tif 000013
【図１２】
2005043720.tif 000014